(57)【要約】【課題】環境変化による影響や目的のガス濃度の変化の影響なしに、目的のガス濃度の変化を短時間に起こすことができ、ガスセンサ等の動特性を検査する上で好適なモデルガス応答特性検査装置及びモデルガス応答特性検査方法を提供する。【解決手段】検査対象が装着されたチャンバ１００に、モデルガス生成装置１０２から所定のモデルガスを供給して前記検査対象の応答特性を検査するモデルガス応答特性検査装置１０であって、モデルガス生成装置１０２は、複数のガス供給源と、各ガス供給源に対応して接続された複数の開閉器と、各ガス供給源に対応して接続され、それぞれ流量が異なる複数の流量固定ノズルと、複数の流量固定ノズルからの複数種のガスを混合する混合器１２０と、を有する。【選択図】図２
2020165931.tif 000002
【特許請求の範囲】
【請求項１】
検査対象が装着されたチャンバに、モデルガス生成装置から所定のモデルガスを供給して前記検査対象の応答特性を検査するモデルガス応答特性検査装置であって、
前記モデルガス生成装置は、
複数のガス供給源と、
各前記ガス供給源に対応して接続された複数の開閉器と、
各前記ガス供給源に対応して接続され、それぞれ流量が異なる複数の流量固定ノズルと、
複数の前記流量固定ノズルからの複数種のガスを混合する混合器と、を有する、モデルガス応答特性検査装置。
【請求項２】
請求項１記載のモデルガス応答特性検査装置において、
各前記ガス供給源に対応して、前記複数の開閉器の後段に前記複数の流量固定ノズルが接続されている、モデルガス応答特性検査装置。
【請求項３】
請求項１又は２記載のモデルガス応答特性検査装置において、
前記混合器と前記チャンバとの間に接続された流量固定ノズルを有する、モデルガス応答特性検査装置。
【請求項４】
請求項１〜３のいずれか１項に記載のモデルガス応答特性検査装置において、
前記流量固定ノズルが臨界ノズルである、モデルガス応答特性検査装置。
【請求項５】
検査対象が装着されたチャンバに、所定のモデルガスを供給して前記検査対象の応答特性を検査するモデルガス応答特性検査方法において、
複数のガス供給源からそれぞれ出力された複数のガスを、各前記ガス供給源に対応して接続された複数の開閉器に送るステップと、
前記複数の開閉器からの複数のガスを、各前記ガス供給源に対応して接続され、それぞれ流量が異なる複数の流量固定ノズルに送るステップと、
前記複数の流量固定ノズルからの複数のガスを混合器で混合するステップと、
前記混合器からの混合ガスを前記チャンバに供給するステップと、を有する、モデルガス応答特性検査方法。
【請求項６】
請求項５記載のモデルガス応答特性検査方法において、
前記混合器からの混合ガスを１つの流量固定ノズルに送るステップと、
前記１つの流量固定ノズルからの混合ガスを前記チャンバに送るステップと、を有する、モデルガス応答特性検査方法。
【請求項７】
請求項５又は６記載のモデルガス応答特性検査方法において、
前記流量固定ノズルが臨界ノズルである、モデルガス応答特性検査方法。
【発明の詳細な説明】
【技術分野】
【０００１】
本発明は、モデルガス応答特性検査装置及びモデルガス応答特性検査方法に関する。
【背景技術】
【０００２】
特許文献１記載のセンサ素子の検査方法は、検査効率が優れると共に、信頼性の高い検査を行える検査方法を提供することを課題としている。
【０００３】
当該課題を解決するため、特許文献１記載の検査方法は、素子挿脱部と、テーパー部と、ガス導入部とを備えるチャンバを準備する。素子挿脱部は、一方端側が外部に開口した開口部であると共に、他方端側が有底端部である略筒状体であり、開口部から続く略筒状の空間である。テーパー部は、素子挿脱部と連接し、かつ、内部に向かうほど長手方向に垂直な断面が大きい断面視テーパー状の空間である。ガス導入部は、テーパー部から底部まで連続する略筒状の空間である。
【０００４】
そして、センサ素子を、チャンバとの間に隙間を設けつつ先端がテーパー部に達するようにチャンバ内へ挿入した状態で、所定のガス供給手段からガス導入部に設けた供給口を通じてチャンバに対し検査用ガスを供給し、検査用ガスを隙間から流出させつつ、センサ素子の電気的測定を行う。
【先行技術文献】
【特許文献】
【０００５】
【特許文献１】特許第４９４４９７２号公報
【発明の概要】
【発明が解決しようとする課題】
【０００６】
ところで、ＮＯｘセンサ等のガスセンサの動特性評価には、応答測定が必要である。応答測定は排気ガス中のＮＯｘ濃度の変化とセンサの出力の追随性を評価する測定である。
【０００７】
ＮＯｘ濃度を動的に変化させる例として、エンジン試験ベンチを使って、エンジンの運転条件を変更して排気ガスの成分を変化させたり、バーナーを使って燃焼条件を変更することで排気ガスの成分を変化させたりする。しかし、これらの方法は、ＮＯｘ濃度変化だけでなく、環境（温度、流量、圧力、水分量等）の変化や、その他のガス成分の濃度変化も伴うため、ＮＯｘ濃度変化に対する動特性の評価に適さない。
【０００８】
また、マスフローコントローラによるモデルガス生成装置を使うと、上記のような環境変化を起こさずに、ＮＯｘ濃度変化を起こすことは可能だが、マスフローコントローラによるＮＯｘ濃度調整に時間がかかってしまい、より早いガスセンサの応答性を評価するには、適さない。
【０００９】
本発明は、このような課題を考慮してなされたものであり、環境変化による影響や目的のガス濃度の変化の影響なしに、目的のガス濃度の変化を短時間に起こすことができ、ガスセンサ等の動特性を検査する上で好適なモデルガス応答特性検査装置及びモデルガス応答特性検査方法を提供することを目的とする。
【課題を解決するための手段】
【００１０】
本発明の第１の態様は、検査対象が装着されたチャンバに、モデルガス生成装置から所定のモデルガスを供給して前記検査対象の応答特性を検査するモデルガス応答特性検査装置であって、前記モデルガス生成装置は、複数のガス供給源と、各前記ガス供給源に対応して接続された複数の開閉器と、各前記ガス供給源に対応して接続され、それぞれ流量が異なる複数の流量固定ノズルと、複数の前記ガス供給源からの複数種のガスを混合する混合器と、を有する。
【００１１】
本発明の第２の態様は、検査対象が装着されたチャンバに、所定のモデルガスを供給して前記検査対象の応答特性を検査するモデルガス応答特性検査方法において、複数のガス供給源からそれぞれ出力された複数のガスを、各前記ガス供給源に対応して接続された複数の開閉器に送るステップと、前記複数の開閉器からの複数のガスを、各前記ガス供給源に対応して接続され、それぞれ流量が異なる複数の流量固定ノズルに送るステップと、前記複数の流量固定ノズルからの複数のガスを混合器で混合するステップと、前記混合器からの混合ガスを前記チャンバに供給するステップと、を有する。
【発明の効果】
【００１２】
本発明に係るモデルガス応答特性検査装置及びモデルガス応答特性検査方法によれば、目的のガス濃度以外の環境変化なしに、当該目的のガス濃度の変化を短時間に起こすことができ、ガスセンサ等の動特性を検査する上で好適である。
【図面の簡単な説明】
【００１３】
【図１】本実施形態に係るモデルガス応答特性検査装置及びモデルガス応答特性検査方法に供されるセンサ素子の一例を示す断面図である。
【図２】本実施形態に係るモデルガス応答特性検査装置の構成の一例を示すブロック図である。
【図３】比較例に係るモデルガス応答特性検査装置を示すブロック図である。
【図４】流量調整器（マスフローコントローラ）の流量による精度の違いを示すグラフである。
【図５】比較例に係るモデルガス応答特性検査装置を使用した場合の設定濃度に対する各ガスの濃度精度誤差、混合ガスの精度誤差を示す表１である。
【図６】実施例に係るモデルガス応答特性検査装置を使用した場合の設定濃度に対する各ガスの濃度精度誤差、混合ガスの精度誤差を示す表２である。
【図７】実施例、比較例１及び２によるガスセンサの応答性能検査の評価結果を示す表３である。
【発明を実施するための形態】
【００１４】
以下、本発明に係るモデルガス応答特性検査装置及びモデルガス応答特性検査方法を、ガスセンサの応答性能検査に適用した実施の形態例を図１〜図７を参照しながら説明する。
【００１５】
先ず、本実施形態に係るモデルガス応答特性検査装置（以下、検査装置１０と記す）が適用されるガスセンサ１２のセンサ素子１４は、図１に示すように、酸素イオン伝導性固体電解質であるジルコニアを主成分とするセラミックスを構造材料として構成されたＮＯｘセンサである。
【００１６】
センサ素子１４は、第１内部空室１６が第１拡散律速部１８、第２拡散律速部２０を通じて外部空間に開放されたガス導入口２２と連通し、第２内部空室２４が第３拡散律速部２６を通じて第１内部空室１６と連通する構成を備える、いわゆる直列二室構造型のＮＯｘセンサ素子である。このセンサ素子１４を用い、以下のようなプロセスが実行されることで、被測定ガス中のＮＯｘガス濃度が算出される。
【００１７】
先ず、第１内部空室１６に導入された被測定ガスは、センサ素子１４の外面に設けられた外側ポンプ電極３０と、第１内部空室１６に設けられた内側ポンプ電極３２と、これら両電極間のセラミックス層３４とによって構成される電気化学的ポンプセルである主ポンプセルのポンピング作用（酸素の汲み入れ、あるいは汲み出し）によって、酸素濃度が略一定に調整された上で、第２内部空室２４に導入される。第２内部空室２４においては、同じく電気化学的ポンプセルである、外側ポンプ電極３０と、第２内部空室２４に設けられた補助ポンプ電極３６と、両電極の間のセラミックス層３８とによって構成される補助ポンプセルのポンピング作用により、被測定ガス中の酸素が汲み出されて、被測定ガスが十分な低酸素分圧状態とされる。
【００１８】
低酸素分圧状態の被測定ガス中のＮＯｘは、第２内部空室２４に保護層４０に被覆される態様にて設けられた測定電極４２において還元ないし分解される。そして、この還元ないし分解によって生じた酸素イオンが、測定電極４２と、基準ガス導入口４４に通じる多孔質アルミナ層４６内に設けられた基準電極４８と、両者の間のセラミックス層５０とによって構成される電気化学的ポンプセルである測定ポンプセルによって汲み出される。そして、その際に生じる電流（ＮＯｘ電流）の電流値と、ＮＯｘ濃度との間に線形関係があることに基づいて、被測定ガス中のＮＯｘ濃度が求められる。
【００１９】
なお、センサ素子１４には、図示しないヒータ部が設けられており、上述の動作は、ヒータ部に通電することでセンサ素子１４を６００℃〜８００℃程度の温度に加熱しつつ行われる。そのため、検査装置１０における検査も、上述した温度までセンサ素子１４を加熱した上で行われる。
【００２０】
そして、検査装置１０は、図２に示すように、少なくとも１つのセンサ素子１４が装着されるチャンバ１００と、チャンバ１００に所定の検査用ガスを供給するモデルガス生成装置１０２と、を有する。
【００２１】
モデルガス生成装置１０２は、複数のガス供給源、すなわち、ＮＯ（１％）の第１ガス供給源１０４Ａ、Ｏ２（１００％）の第２ガス供給源１０４Ｂ及びＮ２（１００％）の第３ガス供給源１０４Ｃを有する。モデルガス生成装置１０２は、第１ガス供給源１０４Ａに対応して接続された４つの第１開閉器１０６ａ〜１０６ｄと、第２ガス供給源１０４Ｂに対応して接続された４つの第２開閉器１０８ａ〜１０８ｄと、第３ガス供給源１０４Ｃに対応して接続された４つの第３開閉器１１０ａ〜１１０ｄとを有する。
【００２２】
また、モデルガス生成装置１０２は、４つの第１開閉器１０６ａ〜１０６ｄに対応して接続され、それぞれ流量が異なる第１流量固定ノズル１１２ａ〜１１２ｄと、４つの第２開閉器１０８ｂ〜１０８ｄに対応して接続され、それぞれ流量が異なる第２流量固定ノズル１１４ａ〜１１４ｄと、４つの第３開閉器１１０ｂ〜１１０ｄに対応して接続され、それぞれ流量が異なる第３流量固定ノズル１１６ａ〜１１６ｄとを有する。
【００２３】
第１流量固定ノズル１１２ａ〜１１２ｄは、それぞれ個別の流量（ガス濃度）となるように、管内の絞り部分が加工された臨界ノズルで構成されていることが好ましい。高い流量精度を得ることができる。第２流量固定ノズル１１４ａ〜１１４ｄ、第３流量固定ノズル１１６ａ〜１１６ｄについても同様である。
【００２４】
モデルガス生成装置１０２は、４つの第１流量固定ノズル１１２ａ〜１１２ｄ、４つの第２流量固定ノズル１１４ａ〜１１４ｄ及び４つの第３流量固定ノズル１１６ａ〜１１６ｄからの複数種のガスを混合する１つの混合器１２０を有する。
【００２５】
第１開閉器１０６ａ〜１０６ｄ、第２開閉器１０８ａ〜１０８ｄ及び第３開閉器１１０ａ〜１１０ｄとしては、例えばコック式の開閉バルブ等を使用することができる。
【００２６】
さらに、モデルガス生成装置１０２は、混合器１２０とチャンバ１００との間に接続された１つの流量固定ノズル１２２を有する。この流量固定ノズル１２２についても臨界ノズルにて構成することが好ましい。
【００２７】
ここで、モデルガス生成装置１０２の作用を説明する。先ず、第１ガス供給源１０４Ａから出力されたガスは、第１開閉器１０６ａ〜１０６ｄのうち、閉（ＯＮ）とされた開閉器を通じて流量固定ノズルに流通する。図２の例では、第１開閉器１０６ａのみが閉（ＯＮ）となっているため、第１ガス供給源１０４Ａから出力されたガスは、第１開閉器１０６ａを通じて、対応する第１流量固定ノズル１１２ａに流通する。第１流量固定ノズル１１２ａで流量（濃度）を調整されたガスは、後段の混合器１２０に供給される。
【００２８】
第２ガス供給源１０４Ｂから出力されたガスは、第２開閉器１０８ａ〜１０８ｄのうち、閉（ＯＮ）とされた開閉器を通じて、対応する流量固定ノズルに流通する。図２の例では、第２開閉器１０８ａのみが閉（ＯＮ）となっているため、第２ガス供給源１０４Ｂから出力されたガスは、第２開閉器１０８ａを通じて、対応する第２流量固定ノズル１１４ａに流通する。第２流量固定ノズル１１４ａで流量（濃度）を調整されたガスは、後段の混合器１２０に供給される。
【００２９】
同様に、第３ガス供給源１０４Ｃから出力されたガスは、第３開閉器１１０ａ〜１１０ｄのうち、閉（ＯＮ）とされた開閉器（図２の例では第３開閉器１１０ａ）を通じて、対応する流量固定ノズル（図２の例では第３流量固定ノズル１１６ａ）に流通する。この場合も、第３流量固定ノズル１１６ａで流量（濃度）を調整されたガスは、後段の混合器１２０に供給される。
【００３０】
すなわち、混合器１２０において、第１流量固定ノズル１１２ａからのガスと、第２流量固定ノズル１１４ａからのガスと、第３流量固定ノズル１１６ａからのガスとが混合されて、混合ガスとして出力される。
【００３１】
混合器１２０からの混合ガスは、流量固定ノズル１２２によって流量が固定された後、後段のチャンバ１００に供給され、複数のセンサ素子１４の検査用ガスとして供される。
【００３２】
上述の例では、３種類のガス供給源を示したが、使用するガスの種類に応じて１つ、２つ、４つあるいは５つ以上のガス供給源を用いてもよい。また、開閉器として、各ガス供給源に対応して、それぞれ４つの開閉器、４つの流量固定ノズルを用いたが、使用する濃度に応じて１つ、２つ、３つあるいは５つ以上の開閉器、流量固定ノズルを用いてもよい。
【００３３】
混合器１２０とチャンバ１００との間に流量固定ノズル１２２を接続した例を示したが、混合器１２０から一定の流量が出力されるのであれば、必ずしも流量固定ノズル１２２を接続しなくてもよい。
【００３４】
次に、検査装置１０の利点について、比較例に係るモデルガス応答特性検査装置２００（以下、比較例２００と記す）と比較しながら説明する。
【００３５】
［比較例２００］
先ず、比較例２００のモデルガス生成装置２１０は、図３に示すように、ＮＯ（１％）のガス供給源２０２Ａに第１開閉器２０４ａを介して接続された１つの第１流量調整器２０６ａ（Ｈｉｇｈ  Ｒａｎｇｅ）と、ＮＯ（３０００ｐｐｍ）のガス供給源２０２Ｂに第２開閉器２０４ｂを介して接続された１つの第２流量調整器２０６ｂ（Ｌｏｗ  Ｒａｎｇｅ）と、Ｏ２（１％）のガス供給源２０２Ｃに直接接続された１つの第３流量調整器２０６ｃと、Ｎ２（１００％）のガス供給源２０２Ｄに直接接続された１つの第４流量調整器２０６ｄとを有する。
【００３６】
さらに、比較例２００は、第１流量調整器２０６ａ〜第４流量調整器２０６ｄからの複数種のガスを混合する１つの混合器２０８を有する。混合器２０８の後段には、チャンバ１００が接続されている。
【００３７】
一般に、ＮＯｘセンサ等のガスセンサの特性評価には、モデルガス生成装置が必要である。モデルガス生成装置は、複数のガスを、それぞれの配管に繋いだ流量調整器（例えばマスフローコントローラ）のバランスを調整して任意の濃度の混合ガスを作ることができる。ガス濃度のばらつきは、流量調整器の精度に依存する。流量調整器は流量を可変するため、制御誤差が生じる。混ぜるガス種が多い場合は、複数の流量調整装置を使うので、より誤差が大きくなり、そのガス濃度精度は原理的に良くならない。
【００３８】
また、流量調整器としてのマスフローコントローラは、通常、図４に示すように、高流量と低流量で精度が異なるものが多い。フルスケールに対して３０％以上の場合は、セットポイントに対して１％の精度誤差を持つが、３０％未満の場合はフルスケールの１％の精度誤差である。つまり、流量がフルスケールの３０％未満ではセットポイントの１％以上の精度誤差になってしまう。
【００３９】
上述の事項を確認するため、流量調整器としてのマスフローコントローラを使用した上述の比較例２００について、ＮＯ：１％、Ｏ２：２０％、Ｎ２：１００％の元ガスを使って、ＮＯ濃度が０ｐｐｍ〜３０００ｐｐｍ、Ｏ２濃度が０〜２０％の混合ガスを作る場合の最大精度誤差及び二乗平方根を確認し、図５の表１に示した。
【００４０】
図５の表１からわかるように、設定濃度として、ＮＯ濃度が５００ｐｐｍ以上の場合、精度誤差は６．０以下であり、１０００ｐｐｍ以上の場合、３．０以下であった。また、Ｏ２濃度が１％の場合、精度誤差は６．０、５％の場合、精度誤差は１．２、２０％の場合、０．３であった。なお、Ｎ２濃度はいずれも１００％付近であったため、精度誤差は１．０であった。
【００４１】
この結果、混合器２０８（図３参照）から出力される混合ガスの最大精度誤差は、１桁台のほか、３１．０％や１３．０％があり、ばらつきがあった。二乗平方根については、設定濃度として、ＮＯが１００ｐｐｍ、Ｏ２濃度が０％、Ｎ２濃度が９９．９９の例が３０．０と突出しており、大きくばらつきがあった。
【００４２】
［第１実施例］
本実施形態に係るモデルガス生成装置１０２について、上述した比較例と同様の条件で、最大精度誤差及び二乗平方根を確認し、図６の表２に示した。
【００４３】
図６の表２からわかるように、比較例２００の流量調整器に代えて、臨界ノズルを使用したため、各ガスの濃度精度誤差の欄に示すように、臨界ノズルを通過する際の精度誤差はいずれも０．４であり、精度上のばらつきはなかった。
【００４４】
その結果、混合器１２０から出力される混合ガスの最大精度誤差は、０．４、０．８、１．２であり、また、二乗平方根も０．４、０．６、０．７であり、高い濃度精度であることがわかる。
【００４５】
［第２実施例］
実施例、比較例１及び比較例２を使用して、ガスセンサの応答性能検査を行い、所定の判断基準に基づいて、実施例、比較例１及び比較例２の性能を比較した。
【００４６】
先ず、ガスセンサの動特性は、ガス濃度が変化したときの応答性の指標として検査した。この第２実施例では、ＮＯガスの濃度を０ｐｐｍから５００ｐｐｍに変化させた。
【００４７】
［実施例］
モデルガス応答特性検査装置として、図２に示すモデルガス応答特性検査装置１０を使用した。すなわち、任意に調整された流量調整バルブ（臨界ノズル）を切り替えてガス濃度を変化させた。
【００４８】
［比較例１］
モデルガス応答特性検査装置として、図３に示す比較例に係るモデルガス応答特性検査装置２００を使用した。すなわち、マスフローコントローラを使ってガス濃度を変化させた。
【００４９】
［比較例２］
モデルガス応答特性検査装置として、エンジンベンチを使用した。すなわち、エンジンの運転条件を変えてガス濃度を変化させた。
【００５０】
＜評価基準＞
（１）切り替え時間（所望のガス濃度になるまでの時間）
検査対象であるガスセンサでの切り替え時間よりも速ければ「Ａ」評価とした。
（２）ガス濃度切り替え安定性
濃度切り替え後の濃度変動が濃度変化分の１０％以内であれば「Ａ」評価とした。
（３）ガス濃度精度
実施例、比較例１及び比較例２の相対評価とした。
（４）圧力変動
圧力変動がなければ「Ａ」評価とした。
（５）温度変化
温度変化がなければ「Ａ」評価とした。
（６）流量変化
流量変化がなければ「Ａ」評価とした。
（７）干渉ガス
干渉ガスが発生していなければ「Ａ」評価とした。
【００５１】
［評価結果：図７の表３参照］
（１）切り替え時間
実施例は、検査対象であるガスセンサでの切り替え時間よりも速かったため、「Ａ」評価とした。
比較例１は、マスフローの流量を制御しているため、速く切り替えができないため、「Ｃ」評価であった。
比較例２は、切り替え時間を速くも遅くもできるが、エンジンの運転条件に依存し、コントロールが困難である。そのため、「Ｂ」評価であった。
【００５２】
（２）ガス濃度切り替え安定性
実施例は、濃度切り替え後の濃度変動が濃度変化分の１０％以内であったため、「Ａ」評価とした。
比較例１及び２は共に、濃度切り替え後の濃度変動が大きいため、「Ｃ」評価であった。
【００５３】
（３）ガス濃度精度
実施例は、相対評価で、比較例１及び２よりも精度が高かったため、「Ａ」評価とした。
比較例１は、実施例と比べて精度が低かったため、「Ｂ」評価であった。
比較例２は、エンジンの排ガスのため、濃度再現性も低いため、「Ｃ」評価であった。
【００５４】
（４）圧力変動
実施例及び比較例１は共に、圧力変動がなかったため、「Ａ」評価であった。
比較例２は、エンジンの運転条件を変えるため、圧力変動が起こりやすい。そのため、「Ｃ」評価であった。
【００５５】
（５）温度変化
実施例及び比較例１は共に、温度変化がなかったため、「Ａ」評価であった。
比較例２は、エンジンの運転条件を変えるため、ガス温度が変化する。そのため、「Ｃ」評価であった。
【００５６】
（６）流量変化
実施例は、流量変化がなかったため、「Ａ」評価であった。
比較例１は、濃度切り替え時に流量変動が起こるため、「Ｂ」評価であった。
比較例２は、エンジンの運転条件を変えるため、流量が変化する。そのため、「Ｃ」評価であった。
【００５７】
（７）干渉ガス
実施例及び比較例１は共に、干渉ガスが発生しなかったため、「Ａ」評価であった。
比較例２は、エンジンの排ガスを使うため、ＨＣ類、ＣＯ、ＣＯ２、Ｈ２等、様々な干渉ガスが混在する。そのため、「Ｃ」評価であった。
【００５８】
（８）運用コスト
実施例は、流量調整バルブ（臨界ノズル）を切り替えてガス濃度を変化させるため、運用コストを安価にすることができ、「Ａ」評価であった。
比較例１は、マスフローコントローラを使ってガス濃度を変化させるため、実施例と同様に、運用コストを安価にすることができ、「Ａ」評価であった。
比較例２は、エンジンを運転する必要から、燃料費やメンテンナンス費用がかかり、運用コストが高く、「Ｃ」評価であった。
【００５９】
なお、上述の評価では、ＮＯガスの濃度を０ｐｐｍから５００ｐｐｍに変化させた場合を示したが、ＮＯガスの濃度を５００ｐｐｍから０ｐｐｍに変化させた場合も同様であった。
【００６０】
［実施の形態から得られる発明］
上記実施の形態から把握しうる発明について、以下に記載する。
【００６１】
［１］  本実施形態に係る検査対象が装着されたチャンバ１００に、モデルガス生成装置１０２から所定のモデルガスを供給して検査対象の応答特性を検査するモデルガス応答特性検査装置１０であって、モデルガス生成装置１０２は、複数のガス供給源（１０４Ａ、１０４Ｂ、１０４Ｃ）と、各ガス供給源（１０４Ａ、１０４Ｂ、１０４Ｃ）に対応して接続された複数の開閉器（第１開閉器１０６ａ〜１０６ｄ、第２開閉器１０８ａ〜１０８ｄ、第３開閉器１１０ａ〜１１０ｄ）と、各ガス供給源（１０４Ａ、１０４Ｂ、１０４Ｃ）に対応して接続され、それぞれ流量が異なる複数の流量固定ノズル（第１流量固定ノズル１１２ａ〜１１２ｄ、第２流量固定ノズル１１４ａ〜１１４ｄ、第３流量固定ノズル１１６ａ〜１１６ｄ）と、複数の流量固定ノズルからの複数種のガスを混合する混合器１２０と、を有する。
【００６２】
これにより、目的のガス濃度以外の環境変化なしに、当該目的のガス濃度の変化を短時間に起こすことができ、ガスセンサ等の動特性を検査する上で好適である。
【００６３】
従来、モデルガス生成装置は、複数のガスを、それぞれの配管に繋いだ流量調整器（例えばマスフローコントローラ）のバランスを調整して任意の濃度の混合ガスを作るようにしていた。しかし、混合ガスのガス濃度のばらつきは、流量調整器の精度に依存し、流量調整器は流量を可変するため、制御誤差も乗るという問題があった。
【００６４】
これに対して、モデルガス生成装置１０２は、流量制御の際に誤差が生じる流量調整器に代えて、それぞれ流量が異なる複数の流量固定ノズルを使用し、さらに、複数の流量固定ノズルに対して選択的にガスを供給する開閉器を接続するようにしている。その結果、流量固定ノズルを通過する際の精度誤差は小さく、精度上のばらつきはほとんどない。また、それぞれ流量が異なる複数の流量固定ノズルを使用するため、適宜組み合わせることで、任意のガス濃度に混合することができる。
【００６５】
［２］  本実施形態において、各ガス供給源（１０４Ａ、１０４Ｂ、１０４Ｃ）に対応して、複数の開閉器（第１開閉器１０６ａ〜１０６ｄ、第２開閉器１０８ａ〜１０８ｄ、第３開閉器１１０ａ〜１１０ｄ）の後段に複数の流量固定ノズル（第１流量固定ノズル１１２ａ〜１１２ｄ、第２流量固定ノズル１１４ａ〜１１４ｄ、第３流量固定ノズル１１６ａ〜１１６ｄ）が接続されている。
【００６６】
これにより、ガス供給源からのガスを必要な流量固定ノズルのみに供給することができるため、ガス供給の効率化を図ることができる。なお、例えば各流量固定ノズルの後段にそれぞれ開閉弁を設置した場合、すべての流量固定ノズルにガスが供給された後に、閉動作された開閉弁のみを通じて後段に流れるため、ガスを余分に流す必要があり、効率的ではない。
【００６７】
［３］  本実施形態において、混合器１２０とチャンバ１００との間に接続された流量固定ノズル１２２を有する。これにより、混合器１２０から出力されるガスの流量を、一旦、流量固定ノズル１２２にて固定することができるため、チャンバ１００に供給される検査用ガスの濃度安定化を迅速にすることができる。
【００６８】
［４］  本実施形態において、流量固定ノズルが臨界ノズルである。流量固定ノズルとして、臨界ノズルを使用することで、高い流量精度を得ることができる。
【００６９】
［５］  本実施形態に係るモデルガス応答特性検査方法は、検査対象（センサ素子）が装着されるチャンバ１００に所定のモデルガスを供給して前記検査対象の応答特性を検査するモデルガス応答特性検査方法において、複数のガス供給源（１０４Ａ、１０４Ｂ、１０４Ｃ）からそれぞれ出力された複数のガスを、各ガス供給源（１０４Ａ、１０４Ｂ、１０４Ｃ）に対応して接続された複数の開閉器（第１開閉器１０６ａ〜１０６ｄ、第２開閉器１０８ａ〜１０８ｄ、第３開閉器１１０ａ〜１１０ｄ）に送るステップと、複数の開閉器からの複数のガスを、各ガス供給源（１０４Ａ、１０４Ｂ、１０４Ｃ）に対応して接続され、それぞれ流量が異なる複数の流量固定ノズル（第１流量固定ノズル１１２ａ〜１１２ｄ、第２流量固定ノズル１１４ａ〜１１４ｄ、第３流量固定ノズル１１６ａ〜１１６ｄ）に送るステップと、複数の流量固定ノズルからの複数のガスを混合器１２０で混合するステップと、混合器１２０からの混合ガスをチャンバ１００に供給するステップとを有する。
【００７０】
［６］  本実施形態において、混合器１２０からの混合ガスを１つの流量固定ノズル１２２に送るステップと、１つの流量固定ノズル１２２からの混合ガスをチャンバ１００に送るステップとを有する。
【００７１】
［７］  本実施形態において、上述した流量固定ノズルがそれぞれ臨界ノズルである。
【００７２】
本発明についての好適な実施形態を上述したが、本発明は上記実施形態に限定されるものではなく、本発明の要旨を逸脱しない範囲において、種々の改変が可能である。
【００７３】
なお、本発明の実施に当たっては、本発明の思想を損なわない範囲で自動車用部品としての信頼性向上のための諸手段が付加されてもよい。
【符号の説明】
【００７４】
１０…検査装置
１２…ガスセンサ
１４…センサ素子
１００…チャンバ
１０２…モデルガス生成装置
１０４Ａ…第１ガス供給源
１０４Ｂ…第２ガス供給源
１０４Ｃ…第３ガス供給源
１０６ａ〜１０６ｄ…第１開閉器
１０８ａ〜１０８ｄ…第２開閉器
１１０ａ〜１１０ｄ…第３開閉器
１１２ａ〜１１２ｄ…第１流量固定ノズル
１１４ａ〜１１４ｄ…第２流量固定ノズル
１１６ａ〜１１６ｄ…第３流量固定ノズル
１２０…混合器
１２２…流量固定ノズル
【図１】
2020165931.tif 000003
【図２】
2020165931.tif 000004
【図３】
2020165931.tif 000005
【図４】
2020165931.tif 000006
【図５】
2020165931.tif 000007
【図６】
2020165931.tif 000008
【図７】
2020165931.tif 000009